(57)【要約】      （修正有）【課題】使用者保持装置と共に使用する病原体および化学物質の検出システムおよび関連方法を提供する。【解決手段】使用者保持装置１０によって保持された人の近くからの流体または生物サンプルが取得され、病原体検出センサー２６に送られる。グラフィカル介護者インターフェース３０に病原体検出センサーからの出力が供給され、化学物質の存在を検出する。グラフィカル介護者インターフェースは、電子カルテのデータベース３２、警報３８およびナースコールシステム３６と通信する。【選択図】図１
2013252426.tif 000002
【特許請求の範囲】
【請求項１】
使用者保持装置と共に使用する病原体検出のためのシステムであって、
使用者保持装置によって保持された人の近くから運び去られた流体を受け入れる流体輸送システムと、
プロセッサと、少なくとも一つの病原体検出センサーを備え、前記の少なくとも一つの病原体センサーが所定の閾値を超える量の病原体の存在を判断するために前記流体輸送システムで輸送される流体中の病原体を検出し、前記プロセッサと通信するように構成されたシステム。
【請求項２】
前記流体輸送システムが前記使用者の近くから流体を運び去るように構成された、請求項１に記載の病原体検出のためのシステム。
【請求項３】
前記プロセッサが前記使用者保持装置の少なくとも一つの機能を制御するように構成された、請求項１に記載の病原体検出のためのシステム。
【請求項４】
前記閾値が限度である、請求項１に記載の病原体検出のためのシステム。
【請求項５】
前記閾値が変化の割合である、請求項１に記載の病原体検出のためのシステム。
【請求項６】
前記流体輸送システムの一部が病原体格納スクリーンによって囲まれている、請求項１に記載の病原体検出のためのシステム。
【請求項７】
使用者保持面、および前記使用者保持面の少なくとも一部にフィットするように構成された病原体格納スクリーンを含み、前記病原体検出センサーが前記病原体格納スクリーンと前記使用者保持面で封じ込められた空気容量を流体連結している、請求項１に記載の病原体検出のためのシステム。
【請求項８】
請求項１に記載の病原体検出のためのシステムであって、
細孔を持つ使用者保持面を備え、前記病原体検出センサーが病原体検出システムの一部であり、病原体検出のための前記システムが前記細孔と前記病原体検出システムの間の電位差を確立するための手段も備えるシステム。
【請求項９】
前記流体輸送システムが、施設ＨＶＡＣシステムを含み、前記病原体検出システムが前記ＨＶＡＣシステム内に収納される、請求項１に記載の病原体検出のためのシステム。
【請求項１０】
前記流体輸送システムが流体を移動させるためのポンプを備える、請求項１に記載の病原体検出のためのシステム。
【請求項１１】
前記ポンプが使用者の皮膚から流体を運び去るために陽圧を使用する、請求項２に記載の病原体検出のためのシステム。
【請求項１２】
前記病原体検出システムが使用者保持面に組み込まれている、請求項１に記載の病原体検出のためのシステム。
【請求項１３】
前記プロセッサが電子カルテのデータベースと通信するように構成された、請求項１に記載の病原体検出のためのシステム。
【請求項１４】
前記プロセッサがナースコールシステムと通信するように構成された、請求項１に記載の病原体検出のためのシステム。
【請求項１５】
前記プロセッサが警報と通信するように構成された、請求項１に記載の病原体検出のためのシステム。
【請求項１６】
病院ベッドの近くの臭気を検出するためのシステムであって、
少なくとも一つの臭気センサーと、
病院ベッドによって保持された人の皮膚から前記の少なくとも一つの臭気センサーへと流体を運び去るように構成された流体輸送システムと、
介護者インターフェースを備え、前記少なくとも一つの臭気センサーが前記介護者インターフェースと通信するように構成されたシステム。
【請求項１７】
前記流体輸送システムが流体を移動させるためのポンプを備える、請求項１６に記載のシステム。
【請求項１８】
前記ポンプが電気浸透流ポンプである、請求項１７に記載のシステム。
【請求項１９】
前記ポンプが使用者の皮膚から流体を運び去るために陽圧を使用する、請求項１７に記載のシステム。
【請求項２０】
前記の少なくとも一つの臭気センサーが金属酸化物半導体タイプのセンサーである、請求項１６に記載のシステム。
【請求項２１】
前記の少なくとも一つの臭気センサーが有機半導体ポリマータイプのセンサーである、請求項１６に記載のシステム。
【請求項２２】
前記の少なくとも一つの臭気センサーが表面音響波タイプのセンサーである、請求項１６に記載のシステム。
【請求項２３】
前記の少なくとも一つの臭気センサーがタンパク質ベースのセンサーである、請求項１６に記載のシステム。
【請求項２４】
前記流体輸送システムの一部がマットレストッパーに組み込まれている、請求項１６に記載のシステム。
【請求項２５】
前記介護者インターフェースが電子カルテのデータベースと通信するように構成された、請求項１６に記載のシステム。
【請求項２６】
前記介護者インターフェースがナースコールシステムと通信するように構成された、請求項１６に記載のシステム。
【請求項２７】
前記介護者インターフェースが警報と通信するように構成された、請求項１６に記載のシステム。
【請求項２８】
前記介護者インターフェースが制御装置を備える、請求項１６に記載のシステム。
【請求項２９】
前記介護者インターフェースがディスプレイを備える、請求項１６に記載のシステム。
【請求項３０】
前記介護者インターフェースが介護者入力装置を備える、請求項１６に記載のシステム。
【請求項３１】
使用者保持装置によって保持された人の近くの空気を浄化するためのシステムであって、
使用者保持装置と、
前記使用者保持装置によって保持された人から流体を運び去るように構成された流体輸送システムと、
前記使用者保持装置によって保持された人から運び去られる流体中の少なくとも一つの化学物質を検出するように構成された少なくとも一つの化学センサーと、
介護者インターフェースであって、前記少なくとも一つの化学センサーが前記介護者インターフェースと通信するように構成された介護者インターフェースと、
空気ろ過システムであって、前記介護者インターフェースが前記空気ろ過システムと通信するように構成された空気ろ過システムとを備えるシステム。
【請求項３２】
前記流体輸送システムの前記一部がマットレストッパーに組み込まれている、請求項３１に記載のシステム。
【請求項３３】
創傷発生モニタリングのためのシステムであって、
使用者保持装置と、
前記使用者保持装置によって保持された人から流体を運び去るように構成された流体輸送システムと、
前記使用者保持装置によって保持された人から運び去られる流体中の少なくとも一つの化学物質を検出するように構成された少なくとも一つの化学センサーと、
介護者インターフェースとを備え、前記の少なくとも一つの化学センサーが前記介護者インターフェースと通信するように構成され、前記介護者インターフェースが、前記少なくとも一つの化学センサーによって供給される信号を所定時間保存するように構成されたメモリを備えるシステム。
【請求項３４】
前記介護者インターフェースが、前記の少なくとも一つのセンサーによって供給される信号と前記の少なくとも一つの化学センサーによって供給される以前の信号とを比較し、前記比較で所定の閾値よりも大きな変化が示される場合は介護者に警告するよう構成される、請求項３３に記載のシステム。
【請求項３５】
使用者保持装置の近くの化学物質を検出するための方法であって、
使用者保持装置によって保持された人から流体を運び去ることと、
前記使用者保持装置によって保持された人から運び去られた前記流体をテストすることと、
前記テストの結果を介護者インターフェースに報告することと、
前記の検出された少なくとも一つの化学物質の量が所定の閾値よりも大きいかどうかに基づいて、前記結果が少なくとも一つの化学物質の存在を示すかどうかを判断することと、
前記の検出された少なくとも一つの化学物質の量が所定の閾値よりも大きい時に介護者に警告するために、警報を有効化することを含む方法。
【請求項３６】
前記の少なくとも一つの化学物質が病原体の存在を示しているかどうかを判断する作業をさらに含む、請求項３５に記載の方法。
【発明の詳細な説明】
【技術分野】
【０００１】
関連特許出願への相互参照
本出願は、米国特許仮出願番号６１／６４７，７５３（２０１２年５月１６日出願）の利益を主張するものであり、参照によりその開示全体を本書に組み込む。
【背景技術】
【０００２】
使用者保持装置によって保持された患者の近くの病原体および臭気の検出は、引き続き存在する課題である。患者による化学物質および／またはバイオマーカーの分泌は、病原体の存在、特定の状態の発生の変化の割合（変化率）および／または他の状態の発症を示しうる。
【発明の概要】
【発明が解決しようとする課題】
【０００３】
病原体を検出・モニターするためのいくつかのシステムが存在するが、この領域における開発を継続するニーズが存在する。
【課題を解決するための手段】
【０００４】
本開示には、添付した請求項に詳説に記述した特徴および／または単独あるいは任意の組み合わせにより特許性のある主題を構成しうる下記の特徴のうち一つ以上の特徴が含まれている。
【０００５】
使用者保持装置と共に使用する病原体検出システムの一実施形態は、使用者保持装置によって保持された人の皮膚から流体を運び去るように構成された流体輸送システムを備える。少なくとも一つの病原体検出センサーは、流体輸送システムで輸送される流体中の病原体を検出するように構成される。病原体検出センサーは、所定の閾値を超える量の病原体の存在を判断するように構成された介護者インターフェースと通信するように構成され、介護者インターフェースは、使用者保持装置の少なくとも一つの機能を制御するように構成される。
【０００６】
病院ベッドの近くの臭気を検出するためのシステムの別の実施形態は、病院ベッドによって保持された人の皮膚から流体を輸送する流体輸送システムに対する少なくとも一つの臭気センサーを備える。少なくとも一つの臭気センサーは、介護者インターフェースと通信するように構成される。
【０００７】
使用者保持装置によって保持された人の近くの空気を浄化するためのシステムの一実施形態は、使用者保持装置、および使用者保持装置によって保持された人から流体を運び去るように構成された流体輸送システムを備える。少なくとも一つの化学センサーは、使用者保持装置によって保持された人から運び去られる流体中の少なくとも一つの化学物質を検出するように構成される。化学センサーは介護者インターフェースと通信するように構成され、介護者インターフェースは空気ろ過システムと通信するようにも構成される。
【０００８】
創傷発生をモニターするための一実施形態は、使用者保持装置、および使用者保持装置によって保持された人から流体を運び去るように構成された流体輸送システムを備える。少なくとも一つの化学センサーは、使用者保持装置によって保持された人から運び去られる流体中の少なくとも一つの化学物質を検出するように構成される。化学センサーは介護者インターフェースと通信するように構成され、介護者インターフェースは化学センサーが供給する信号を所定時間保存するように構成されたメモリを備える。
【０００９】
使用者保持装置の近くの化学物質を検出するための方法の一実施形態は、使用者保持装置によって保持された人から流体を運び去る作業、使用者保持装置によって保持された人から輸送された流体をテストする作業、および前記テストの結果を介護者インターフェースに報告する作業を含む。本方法は、検出された少なくとも一つの化学物質の量が所定の閾値よりも大きいかどうかを判断することによって、前記結果が少なくとも一つの化学物質の存在を示すかどうかを判断する作業をさらに含む。検出された少なくとも一つの化学物質の量が所定の閾値よりも大きい時、介護者に警告するために警報が有効化される。
【００１０】
本明細書に組み込まれ、その一部を形成する添付の図面は、請求項に記載された主題のいくつかの態様を説明し、その説明と共に請求項に記載の主題の原理を説明する役割を果たす。
【図面の簡単な説明】
【００１１】
【図１】本明細書に開示された原理の一つ以上に従って構築された流体輸送システムの一部がマットレストッパーを含む、使用者保持装置と共に使用する病原体検出システムのブロック図である。
【図２】本明細書に開示された原理の一つ以上に従って構築され、病原体センサーの少なくとも一部がマットレストッパー内に収納された、使用者保持装置と共に使用する別の病原体検出システムのブロック図である。
【図３】本明細書に開示された原理の一つ以上に従って構築され、病原体格納スクリーンが使用者保持装置によって保持された患者の少なくとも一部を包むように構成された、使用者保持装置と共に使用する別の病原体検出システムのブロック図である。
【図４】本明細書に開示された原理の一つ以上に従って構築され、流体輸送システム中に流体の流れを生成するために電位が使用される、使用者保持装置と共に使用する別の病原体検出システムのブロック図である。
【図５】本明細書に開示された原理の一つ以上に従って構築され、病原体検出システムが独立装置である、使用者保持装置と共に使用する病原体検出システムのブロック図である。
【図６】本明細書に開示された原理の一つ以上に従って構築され、病原体検出システムが空気ろ過システム内に収納された、使用者保持装置と共に使用する別の病原体検出システムのブロック図である。
【図７】本明細書に開示された原理の一つ以上に従って構築され、介護者インターフェースが制御装置、表示装置および介護者入力装置を備える、使用者保持装置と共に使用する別の病原体検出システムのブロック図である。
【発明を実施するための形態】
【００１２】
請求項に記載された主題の実施形態およびそのさまざまな特徴と利点が、添付の図面に記述および／または説明された非限定的実施形態および実施例を参照してさらに詳しく説明され、以下の記述で詳述される。図面で説明された特徴は、必ずしも原寸に比例して描かれておらず、本明細書に明確に記述されていない場合でも、当業者であれば認識できるように一実施形態の特徴は他の実施形態で利用されうることに注意すべきである。記述された請求項の主題の実施形態を不必要に分かりにくくしないように、よく知られた部品および処理技術の記述は簡潔に言及されるか省略されうる。本明細書に使用された実施例は、請求項に記載された主題が実施されうる方法の理解を促進するため、およびさらに当業者が本明細書に記述された請求項の主題の実施形態を実施できるようにすることのみを目的としている。従って、本明細書の実施例および実施形態は例証にすぎず、添付の請求項および適用法によってのみ定義される請求項の主題の範囲を限定するものとして解釈されるべきでない。さらに、図面のいくつかの表示を通して、類似の参照番号は類似部分を表すことに注意されたい。
【００１３】
請求項に記載の主題は変化することがあるため、本明細書に記述された特定の方法、プロトコル、デバイス、装置、材料、適用などに限定されないことが理解される。本明細書に使用される用語は、特定の実施形態のみを記述する目的で使用されており、請求項に記載の主題の範囲を限定することを意図したものではないことも理解される。
【００１４】
他に定義されていない限り、本明細書で使用されたすべての専門用語および学術用語は、当業者によって一般的に理解されるものと同じ意味を持つ。
【００１５】
使用者保持装置１０の近くの病原体を検出するためのシステムの一実施形態が、図１に示されている。この実施形態では、使用者保持装置１０はベッドであるが、他の実施形態では、使用者保持装置１０は車椅子、ストレッチャー、または使用者を保持するように構成された他の任意の装置でありうる。この実施形態の使用者保持装置１０は、保持部１０によって下部フレーム１４上に保持された上部フレーム１２を備える。上部フレーム１２は一つ以上のセクションを備え、保持部１６は、下部フレーム１４に対して上部フレーム１２の少なくとも一つのセクションを可変的に上昇させるように構成される。下部フレーム１４は、この実施形態では少なくとも一つのキャスター車輪１８上に置かれ、使用者保持装置１０上に保持された人の搬送を可能にする。使用者保持面２０は、使用者保持装置１０の上に置かれている。この実施形態では使用者保持面２０はマットレスであり、流体で満たされた袋を備えるが、他の実施形態では、使用者保持面は袋、フォームおよび他の高分子材料の任意の組み合わせで作ってもよい。マットレストッパー２２は、使用者がマットレストッパー２２の上に保持されるように、使用者保持面２０の上に位置付けられる。マットレストッパー２２は、使用者を保持するように構成されたその表面上に流体透過性細孔２４を備える。流体透過性細孔２４は、空気、水および微生物粒子を通過させるように構成される。図１に示されるように、ポンプ２８は流体透過性細孔２４を通し、流体連結を通して病原体検出システム２６へと流体を吸い込むように構成される。ポンプ２８は、袋の膨張を含むがこれに限定されない、使用者保持面２０の一つ以上の機能を提供するように構成される。別の実施形態では、ポンプ２８は病原体を検出するためにシステム専用で使用される。この実施形態では、病原体検出システム２６は表面が重合された電極を備える。環境の構成は電極の間で測定される電気抵抗を生じさせ、この抵抗の変化が、既知の抵抗および／または抵抗値の変化との比較によって環境の構成を特定するために使用される。他の実施形態では、金属酸化物タイプの半導体（ＭＯＳ）センサーおよび表面音響波デバイスを含む（ただし、これに限定されない）他の任意のタイプのセンサーを使用しうる。別の実施形態では、化学物質の検出に応じて電気信号を生成するために、臭気物質結合タンパク質（ＯＢＰ）、感覚性付属タンパク質（ＳＡＰ）、臭気物質または味覚受容体、セルペンチン受容体および／または臭気物質分解酵素（ＯＤＥ）などのタンパク質ベースのバイオセンサーを、電気化学的変換器と共に使用しうる。ポンプ２８および病原体検出システム２６は、介護者インターフェース（ＣＩ）３０と通信するように構成される。この実施形態では、介護者インターフェース（ＣＩ）３０は、病原体検出システム２６によって供給される情報を所定時間保存するためのメモリ５０、情報を処理するためのプロセッサ（図示せず）およびディスプレイ（図示せず）を備える。メモリ５０は、揮発性および非揮発性を含む任意のタイプでありうる。この実施形態では、ＣＩ３０は使用者保持装置１０上に取り付けられ、使用者保持装置１０の一つ以上の特徴の機能を制御する。別の実施形態では、システムは専用のＣＩ３０を備える。ＣＩ３０は、介護者に警告するように構成されたナースコールシステム３６と通信するように構成される。この実施形態のＣＩ３０は、警報３０を有効化するように構成される。警報３０は、この実施形態では音声警告であり、他の実施形態では、警報３０は音声、視覚および／または触知性警告システムの任意の組み合わせでありうる。ＣＩ５０は、電子カルテ（ＥＭＲ）データベース３２と通信するようにも構成される。この実施形態では、ＣＩ３０は空気ろ過システム３４と通信するように構成される。ＣＩ３０は、病原体検出システム２６によって提供される結果に基づいて、空気ろ過システム３４を制御するように構成される。一つの予言的実施例では、病原体検出システム２６によってＣＩ３０に送信されるデータで高濃度の汗が検出された場合、汗の生成を最適化する環境を誘発するために、水蒸気の分圧および／または温度および／または部屋に供給されている空気の容量が変更される。別の予言的実施例では、病原体検出システム２６からのデータが所定閾値を超える特定病原体の存在を示すと判断された場合、まず空気を浄化することなく患者がいる部屋から空気が漏れ出ることを防ぐように、空気ろ過システム３４は制御可能バルブを備える。空気ろ過システム３４は、イオン化、静電気および機械的ろ過技術の任意の組み合わせを利用しうる。
【００１６】
図１に示されるシステムの動作中、ＣＩ３０は、流体透過性細孔２４を通って病原体検出システム２６に流体が吸い込まれることを可能にする吸引圧力を生成するためにポンプ２８の動作を制御するように構成される。この実施形態では、病原体検出システム２６はＣＩ３０と通信し、病原体検出システム２６に流れ込む流体に関するテストの結果をＣＩ３０に供給する。この実施形態のＣＩ３０は、介護者が一つ以上の化学物質に対して閾値を設定することを可能にする。閾値は、限度または変化の割合という形態で設定されうる。別の実施形態では、介護者は、化学物質の特定の組み合わせの検出を閾値としてプログラムしうる。これらの閾値は、この実施形態ではメモリ５０に保存される。この実施形態では、病原体検出システム２６から得られた結果が所定の閾値を超えたことを示す時、ＣＩ３０は警報３８を有効化する。所定の閾値を超えた時、ＣＩ３０はナースコールシステム３６とも通信する。この実施形態では、ＣＩ３０は病原体検出システム２６によって提供されたテスト結果をＥＭＲ３２データベースに記録するが、別の実施形態では、ＣＩ３０はＥＭＲ３２から情報を取得し、閾値を決定するためにこの情報を使用する。閾値は、任意の化学物質または化学物質の組み合わせの存在の検出が求められるように選択されうる。この実施形態では、疾患を引き起こす微生物および／またはベクターを示す化学的特徴が、病原体検出システム２６によって検出される。別の実施形態では、病原体検出システム２６によって供給される結果は、ＩＬ−１αおよびクレアチンホスホキナーゼ（ＣＰＫ）などの創傷発生の生化学的マーカーを示す化学的特徴を探すために、グラフィカル介護者インターフェース３０によって評価される。
【００１７】
図２に示される使用者保持装置１０の近くの病原体を検出するためのシステムの実施形態では、病原体検出システム２６はマットレストッパー２２内に収容されている。別の実施形態では、ポンプ２２もマットレストッパー２２内に収容されている。別の実施形態の使用者保持面２０は流体透過性細孔２４を備え、流体透過性細孔２４と病原体検出システム２６との間の流体経路を提供する。
【００１８】
図３では、使用者の近くの病原体を検出するためのシステムの別の実施形態が図示されている。図３に示されるシステムでは、病原体格納スクリーン４０は使用者保持面２０の上に置かれる。病原体格納スクリーンは実質的に流体不透過性材料で作られ、使用者保持装置２０によって保持された人の少なくとも一部にフィットするように構成される。ポンプ２８はＣＩ３０によって制御され、病原体格納スクリーン４０で封じ込められた空気容量内に陽圧空気を供給する。病原体検出システム２６は、病原体格納スクリーン４０で封じ込められた空気容量と流体連結している。病原体検出システム２６は、メモリ５０を備えるＣＩ３０と通信するように構成される。この実施形態ではＣＩ３０も、ナースコール３６、警報３８およびＥＭＲ３２と通信するように構成される。
【００１９】
図４に示される使用者保持装置１０の近くの病原体を検出するためのシステムの実施形態では、流体透過性細孔２４と病原体検出システム２６との間の流体の流れを誘発するために電位が使用される。図４は、この実施形態の流体透過性細孔２４の入口のかなり近くに取り付けられた正電荷を持つ導線４２を備えるマットレストッパー２２を示す。負電荷を持つ導線４４は、病原体検出システム２６に取り付けられる。正電荷を持つ導線４２および負電荷を持つ導線４４は、それぞれバッテリー４８の正極および負極に取り付けられる。バッテリー４８および導線は、流体透過性細孔２４と病原体検出システム２６の間に電位差を形成する。微粒子、特に揮発性および液体物質は、その電気泳動移動度に基づいて、流体透過性細孔２４と病原体検出システム２６の間の流体連結を通して引きよせられる。一実施形態では、ＣＩ３０は、バッテリー４８を使用する代わりに、正電荷を持つ導線４２と負電荷を持つ導線４４の間に電位を提供する。病原体検出システム２６は、メモリ５０を備えるＣＩ３０と通信している。この実施形態ではＣＩ３０は、ＥＭＲ３２、ナースコールシステム３６および警報３８と通信するように構成される。別の実施形態では、流体透過性細孔２４、正電荷を持つ導線４２および病原体検出システム２６への流体経路が、使用者保持面２０に組み込まれる。
【００２０】
図５に示される実施形態では、独立型病原体検出システム２６は、使用者保持装置の周りを循環する空気をサンプリングし、検出データを使用者保持装置１０のＣＩ３０に通信するように構成される。独立型病原体検出システム２６は、床の上に置かれている独立構造であるか、使用者保持装置１０上に取り付けられているか、または使用者保持装置１０の近くの他の任意の構造によって保持されている場合がある。ＣＩ３０は、ナースコールシステム３６、ＥＭＲ３２および警報３８と通信するように構成される。
【００２１】
図６に示される別の実施形態では、病原体検出システム２６は空気ろ過システム３４内に収納される。空気ろ過システム３４は、使用者保持システム１０を収納している部屋の暖房、換気および空調（ＨＶＡＣ）システムである。病原体検出システム２６は、空気ろ過システム３４を流れる空気をサンプリングし、検出データを使用者保持装置１０のＣＩ３０に通信するように構成される。ＣＩ３０は、病原体検出システム２６によって提供される結果に基づいて、空気ろ過システム３４を制御するように構成される。一つの予言的実施例では、病原体検出システム２６によってＣＩ３０に送信されるデータで高濃度の汗が検出された場合、汗の生成を最適化する環境を誘発するために、水蒸気の分圧および／または温度および／または部屋に供給されている空気の容量が変更される。別の予言的実施例では、病原体検出システム２６からのデータが所定閾値を超える特定病原体の存在を示す場合、まず空気を浄化することなく患者がいる部屋から空気が漏れ出ることを防ぐように、空気ろ過システム３４は制御可能バルブを備える。ＣＩ３０は、ナースコールシステム３６、ＥＭＲ３２および警報３８と通信するように構成される。
【００２２】
別の意図される実施形態には、表示装置５６および介護者入力装置５８と通信している制御装置５２を含む制御インターフェース（ＣＩ）３０を含み、図７に示されるように制御装置は、表示装置５６および介護者入力装置５８とは物理的に異なる装置である。この実施形態では、制御装置５２はプロセッサ５４および、表示装置５６および介護者入力装置５８と通信しているメモリ５０を備える。この実施形態では表示装置５６はモニターであり、介護者入力装置５８はペンダントである。別の実施形態では、表示装置５６および介護者入力装置５８はタッチセンサー式スクリーンである。
【００２３】
主題の記述の原文の文脈における（特に以下の請求項の文脈における）「ａ」および「ａｎ」および「ｔｈｅ」および類似の指示対象は、本明細書に別段の指示があるか、または文脈によって明らかに矛盾しない限り、単数形および複数形の両方を含むと解釈されるべきである。本明細書の値の範囲の記述は、本明細書に別段の指示がない限り、単に、その範囲内にある別々の各値を個別に言及することの簡単な方法としての役割を果たすことを目的とし、別々の各値はそれが本明細書で個別に記述されたかのように本明細書に組み込まれる。さらに、求められる保護の範囲は、本明細書に記述される請求項およびその権利がある任意の均等物によって定義されるため、前述の説明は例示のみを目的としており、限定することを目的としたものではない。本明細書で提供されるすべての実施例、または例示的用語（例えば、「などの」）は、主題をより良く説明することのみを目的とするものであり、別段主張されない限り、本主題の範囲に関する限定をもたらさない。請求項および記載説明の両方において、結果をもたらす状態を示す「〜に基づく」という用語および類似の句の使用は、その結果をもたらす他の状態を除外することを意図しない。本明細書のどの言葉も、請求される本発明の実施に必須である非請求要素を示すものとして解釈されるべきではない。
【００２４】
請求項に記載の主題を実行するために発明者が把握している最適モードを含む好適な実施形態が、本明細書に記述されている。もちろん、これらの好適実施形態の変形は、前述の説明を読めば当業者には明らかとなる。発明者は、当該技術分野の専門家がこのような変形を適宜採用することを予測しており、発明者は、請求項に記載の主題が本明細書に特に記述されたものとは別の方法で実施されることを意図している。従って、この請求対象の主題は、適用法で認められる限り、本明細書に添付の請求項で記述された主題の変更および均等物すべてを含む。さらに、本明細書に別段の指示があるか、または文脈によって明らかに矛盾しない限り、上述の要素の可能なすべての変形の任意の組み合わせが包含される。
【００２５】
上記に引用された任意の参考文献および出版物の開示は、参照によりそれぞれが個別に組み込まれたかのように同じ程度で、参照によってその全体が明示的に組み込まれる。
【図１】
2013252426.tif 000003
【図２】
2013252426.tif 000004
【図３】
2013252426.tif 000005
【図４】
2013252426.tif 000006
【図５】
2013252426.tif 000007
【図６】
2013252426.tif 000008
【図７】
2013252426.tif 000009
【外国語明細書】
2013252426.tif 000010
2013252426.tif 000011
2013252426.tif 000012
2013252426.tif 000013
2013252426.tif 000014
2013252426.tif 000015
2013252426.tif 000016
2013252426.tif 000017
2013252426.tif 000018
2013252426.tif 000019
2013252426.tif 000020
2013252426.tif 000021
2013252426.tif 000022
2013252426.tif 000023
2013252426.tif 000024
2013252426.tif 000025
2013252426.tif 000026
2013252426.tif 000027
2013252426.tif 000028
2013252426.tif 000029
2013252426.tif 000030
2013252426.tif 000031